(57)【特許請求の範囲】
【請求項１】
温室内に掛け渡し配設される案内部材と、案内部材に対して略直交する方向に沿って設けられ、駆動ワイヤの駆動により案内部材に沿う方向に移動する先導部材と、案内部材上に被覆されると共に、先端部が前記先導部材に連結され、先導部材の移動により伸縮して開閉されるカーテン部材と、前記先導部材と駆動ワイヤとを連結し、前記駆動ワイヤと共に移動可能である一方、所定以上の移動を阻止する力を受けた場合には、前記駆動ワイヤに対し、相対的にスライド可能なクリップとを有する温室用カーテン開閉装置において、
前記クリップが、前記先導部材に係合する係合部と、前記駆動ワイヤを把持する把持部材とを有し、該把持部材が前記駆動ワイヤを弾発的に把持できることを特徴とする温室用カーテン開閉装置。
【請求項２】
請求項１記載の温室用カーテン開閉装置であって、前記クリップの把持部材が、互いに近接することにより前記駆動ワイヤを把持するよう対向して配設される第１及び第２の把持部からなり、かつ一方の把持部が、スプリングにより他方の把持部に近接する方向に付勢されていることを特徴とする温室用カーテン開閉装置。
【請求項３】
温室内に掛け渡し配設される案内部材と、案内部材に対して略直交する方向に沿って設けられ、駆動ワイヤの駆動により案内部材に沿う方向に移動する先導部材と、案内部材上に被覆されると共に、先端部が前記先導部材に連結され、先導部材の移動により伸縮して開閉されるカーテン部材とを有する温室用カーテン開閉装置における前記先導部材と駆動ワイヤとを連結するために用いられるクリップであって、前記駆動ワイヤと共に移動可能である一方、所定以上の移動を阻止する力を受けた場合には、前記駆動ワイヤに対し、相対的にスライド可能であり、前記先導部材に係合する係合部と、前記駆動ワイヤを把持する把持部材とを有し、該把持部材が前記駆動ワイヤを弾発的に把持できることを特徴とするクリップ。
【請求項４】
請求項３記載のクリップであって、前記把持部材が、互いに近接することにより前記駆動ワイヤを把持するよう対向して配設される第１及び第２の把持部からなり、かつ一方の把持部が、スプリングにより他方の把持部に近接する方向に付勢されていることを特徴とするクリップ。
【発明の詳細な説明】
【０００１】
【発明の属する技術分野】
本発明は、温室に、遮光、保温等の目的のため張設される温室用カーテンの開閉装置、および温室用カーテン開閉装置に用いられるクリップに関する。
【０００２】
【従来の技術】
従来、温室の各側面付近に、該側面に沿って掛け渡し配設されるワイヤロープやパイプ材等からなる案内部材と、案内部材に対して略直交する方向に沿って設けられ、駆動ワイヤの駆動により案内部材に沿う方向に移動するパイプ材等からなる先導部材と、案内部材上に被覆されると共に、先端部が前記先導部材に連結され、先導部材の移動により伸縮して開閉されるカーテン部材と、前記先導部材と駆動ワイヤを連結するクリップとを有して構成される温室用カーテン開閉装置がある。
【０００３】
この装置は、カーテン部材の先端部に連結された先導部材が、クリップにより駆動ワイヤに連結されていることから、駆動ワイヤを駆動させると、隣接する他のカーテン部材の後端部（カーテン部材は、温室内上方に複数配設されており、各カーテン部材の後端部は、案内部材に対して略直交する方向に沿って、それぞれ所定の間隔をおいて固定されている。）に対して、先導部材が離間する方向又は接近する方向へ移動する。そして、当該先導部材が離間する方向へ移動する際には、先導部材がカーテン部材を押していき、該カーテン部材の後端部が固定された位置付近に寄せ集められ開放される。逆に、当該先導部材が接近する方向へ移動する際には、寄せ集められていたカーテン部材が先導部材に誘導されて引き伸ばされていき、最終的に、隣接する他のカーテン部材の後端部まで移動して温室内上方を閉鎖するようカーテン部材を張設するようになっている。
【０００４】
かかる装置において、カーテン部材は、各カーテン部材の側部付近を案内部材であるワイヤーロープやパイプ材等に下面が当接するように掛け、温室の側面の一部又は全部を覆い隠すように各カーテン部材の側部を垂れ下げている。また、カーテン部材を所定の高さで支持するため、温室の各側面付近に張設されるワイヤーロープやパイプ材等の間には、同様に、カーテン部材を支持し、案内部材としての役割を果たす棚線と呼ばれるコーティングワイヤも所定間隔をおいて張設されている。
【０００５】
【発明が解決しようとする課題】
しかしながら、上記した従来の温室用カーテン開閉装置では、駆動ワイヤにより走行する先導部材が、カーテン部材を支持する上記案内部材の緩みにより、また、カーテン部材の垂れ下げられた側部の重みにより、さらには、カーテン部材と案内部材との摩擦による抵抗等により、温室の妻面に対して平行に移動するのではなく、中程が突出して、両端よりも先行して移動したり、あるいは、中程が遅れ、両端が先行して移動したりする場合がある。かかる場合に、従来、先導部材と駆動ワイヤを連結するクリップが、駆動ワイヤの走行に伴って先導部材を移動させるべく、駆動ワイヤに固定されていたため、カーテン部材を閉じた際に、該カーテン部材の先端部に連結された先導部材と、該先導部材が当接する隣接する他のカーテン部材の後端部との間に隙間ができてしまい、その結果、温室内上方を完全に閉鎖するようカーテン部材を張設することができないという問題があった。
【０００６】
本発明は、上記した点に鑑みなされたものであり、先導部材に誘導されるカーテン部材が、最終的に、隣接する他のカーテン部材の後端部まで移動して接した際に、両者間に隙間が生じることのない温室用カーテン開閉装置及び該開閉装置に用いられるクリップを提供することを課題とする。
【０００７】
【課題を解決するための手段】
上記した課題を解決するため、本発明は以下の温室用カーテン開閉装置及び該装置に用いられるクリップを提供する。
【０００８】
１．温室内に掛け渡し配設される案内部材と、案内部材に対して略直交する方向に沿って設けられ、駆動ワイヤの駆動により案内部材に沿う方向に移動する先導部材と、案内部材上に被覆されると共に、先端部が前記先導部材に連結され、先導部材の移動により伸縮して開閉されるカーテン部材と、前記先導部材と駆動ワイヤとを連結し、前記駆動ワイヤと共に移動可能である一方、所定以上の移動を阻止する力を受けた場合には、前記駆動ワイヤに対し、相対的にスライド可能なクリップとを有する温室用カーテン開閉装置において、前記クリップが、前記先導部材に係合する係合部と、前記駆動ワイヤを把持する把持部材とを有し、該把持部材が前記駆動ワイヤを弾発的に把持できることを特徴とする温室用カーテン開閉装置。
【０００９】
２．前記１記載の温室用カーテン開閉装置であって、前記クリップの把持部材が、互いに近接することにより前記駆動ワイヤを把持するよう対向して配設される第１及び第２の把持部からなり、かつ一方の把持部が、スプリングにより他方の把持部に近接する方向に付勢されていることを特徴とする温室用カーテン開閉装置。
【００１０】
３．温室内に掛け渡し配設される案内部材と、案内部材に対して略直交する方向に沿って設けられ、駆動ワイヤの駆動により案内部材に沿う方向に移動する先導部材と、案内部材上に被覆されると共に、先端部が前記先導部材に連結され、先導部材の移動により伸縮して開閉されるカーテン部材とを有する温室用カーテン開閉装置における前記先導部材と駆動ワイヤとを連結するために用いられるクリップであって、前記駆動ワイヤと共に移動可能である一方、所定以上の移動を阻止する力を受けた場合には、前記駆動ワイヤに対し、相対的にスライド可能であり、前記先導部材に係合する係合部と、前記駆動ワイヤを把持する把持部材とを有し、該把持部材が前記駆動ワイヤを弾発的に把持できることを特徴とするクリップ。
【００１１】
４．前記３記載のクリップであって、前記把持部材が、互いに近接することにより前記駆動ワイヤを把持するよう対向して配設される第１及び第２の把持部からなり、かつ一方の把持部が、スプリングにより他方の把持部に近接する方向に付勢されていることを特徴とするクリップ。
【００１２】
【発明の実施の形態】
以下、図面に示した実施の形態に基づき本発明をさらに詳細に説明する。
【００１３】
図１は、本発明の温室用カーテン開閉装置の一の実施形態を示す概略構成図である。図示したように、この温室用カーテン開閉装置１は、案内部材２、カーテン部材３、先導部材４、駆動ワイヤ５、クリップ６を有して構成される。
【００１４】
案内部材２は、ワイヤロープからなる。但し、案内部材としては、後述するカーテン部材３を支持可能なものであれば、どのようなものでもよく、ワイヤロープ以外にも、コーティングワイヤ、アルミニウムやステンレス等の金属や硬質プラスチック等から構成される棒状体、アングル材又はパイプ材等を用いることができる。
【００１５】
かかる案内部材２は、例えば、温室の妻面間に側面に沿って掛け渡す場合には、それに応じた長さ、すなわち、両妻面付近に位置する温室の骨組み材に案内部材２の各端部を連結固定できる程度の長さを有している。なお、本明細書中、「温室の骨組み材」とは、温室自体を構成する梁等の骨組みそのもののほか、案内部材２を配設するために温室内に別途配設したパイプ材やワイヤ等の支持材も含む意である。
【００１６】
カーテン部材３は、プラスチックフィルム等からなり、その先端部３ａが後述する先導部材４に固定される（図２参照）。また、後端部３ｂは、温室の各側面付近に張設される案内部材２の間に、案内部材２に対して略直交する方向に沿って掛け渡し配設されたワイヤやパイプ材等の止め材７に固定されている（図１参照）。また、図６に示したように、側部付近３ｃが上記のように張設された案内部材２に掛けられ、下方への垂れ下がり部分が温室の側面を覆うことができるような大きさに形成されている。
【００１７】
かかるカーテン部材３は、図１に示したように、温室内上方に隣接するように複数配設され、一のカーテン部材３の先端部３ａに連結された後述する先導部材４が、隣接する他のカーテン部材３’の後端部３ｂ’が固定された止め材７’に当接することにより、一のカーテン部材３と他のカーテン部材３’とが接続され、温室内上方を閉鎖するよう張設される。なお、カーテン部材３を所定の高さで支持するため、温室の各側面付近に張設される案内部材２の間には、カーテン部材３の下面に当接可能な高さで、コーティングワイヤ等からなる棚線８が所定間隔をおいて張設されている（図６参照）。
【００１８】
先導部材４は、金属や硬質プラスチック等から構成される断面略四角形の棒材が用いられている。図２に示したように、先導部材４の下面には、後述するクリップ６の係合部６１１が係合される断面略Ｔ字状の係合溝４ａが形成されている。
【００１９】
かかる先導部材４は、案内部材２を温室の各側面に沿って配設した場合には、当該案内部材２の間に、案内部材２に対して略直交する方向に沿って掛け渡し配設される。そして、先導部材４の上面側には、カーテン部材３の先端部３ａが固定されると共に、カーテン部材３が閉じた際の閉鎖性を高めるべく、先導部材４に沿ってブレード９が配設されている（図１及び図２参照）。また、下面側の適宜部位には、後述するクリップ６を介して、駆動ワイヤ５が連結され、先導部材４は、この駆動ワイヤ５の駆動により案内部材２に沿う方向に移動するようになっている（図６参照）。
【００２０】
ここで、駆動ワイヤ５は、温室の一方の妻面付近に位置する温室の骨組み材に取り付けられたモータ等の駆動源（図示せず）により駆動される駆動ドラムと、温室の他方の妻面付近に位置する温室の骨組み材に取り付けられたプーリ（図示せず）との間に掛け渡し配設されている。そして、駆動ワイヤ５は、上記した駆動ドラムにより巻き取り又は巻き戻しされることにより、案内部材２に沿う方向に走行するようになっている。なお、駆動ワイヤ５としては、一般に、より線のみから構成されるものを用いることができるが、一部が金属製の単線（金属単線）からなるもの、例えば、駆動ドラムに巻き付けられる部位と、プーリに掛けられる部位のみがより線で構成され、それらの中間部が、当該より線にジョイント部材を介して連結された金属単線で構成されているものを用いることが好ましい。この駆動ワイヤ５によれば、案内部材２に沿う方向に走行する部位が金属単線で構成されているため、駆動時の伸びが小さい。このため、より線のみから構成されるものと比較して、動力の伝達効率がよい。
【００２１】
クリップ６は、図２に示したように、軸体６１、把持部材６２及びスプリング６３を有して構成される。軸体６１の一端には、軸体６１の軸部の直径よりも大きい幅を有し、平面視で略平行四辺形に形成された係合部６１１が設けられている（図２及び図３参照）。なお、かかる係合部６１１の形状は、先導部材４に形成された係合溝４ａに係合可能であって、かつ係合溝４ａに係合することによって軸体６１の回転を規制する形状であれば、どのような形状であってもよい。また、軸体６１の他端側には、外ねじ６１２が形成されており、この外ねじ６１２には、軸体６１の他端側に沿って配設されるスプリング６３の受け部を構成する座金６４ａを支持するナット６５が螺合される。
【００２２】
把持部材６２は、図２、図４及び図５に示したように、側面６２１ａの下端に、下方に突出する凸状部６２１ｂを有する第１の把持部６２１と、側面６２２ａの上端に、該第１の把持部６２１の凸状部６２１ｂと噛み合うように形成された凹状部６２２ｂを有する第２の把持部６２２とを有して構成される。第１の把持部６２１の上面には、孔部６２１ｃが穿設され、かかる孔部６２１ｃに軸体６１の軸部が挿通されて、第１の把持部６２１は、上面を先導部材４の下面に当接させて軸体６１の一端側に配設される。第２の把持部６２２内には、上壁部に孔部６２２ｄが穿設され、下面が開口している筒状部６２２ｃが形成されており、かかる孔部６２２ｄに、軸体６１の軸部、及び該軸部の周囲を覆うように配設されると共に、スプリング６３のガイドとして機能する筒状のガイド部材６６が挿通されている。
【００２３】
スプリング６３は、一端を第２の把持部６２２を構成する筒状部６２２ｃの上壁部下面に接して配設された座金６４ｂに、他端を軸体６１の他端付近に配設された座金６４ａに、それぞれ当接させて、軸体６１の軸部に沿って配設される（図２参照）。かかるスプリング６３は、上記のように配設されることで、その弾発力により、第２の把持部６２２を第１の把持部６２１に近接させる方向に付勢する。なお、スプリング６３の弾発力は、軸体６１の他端付近に螺合されたナットを締め付け又は緩めることにより簡単に調節することができる。
【００２４】
上記した構成のクリップ６は、図２に示したように、軸体６１の一端に形成された係合部６１１を、先導部材４の下面に形成された係合溝４ａに係合させる。また、図５に示したように、把持部材６２を構成する第２の把持部６２２の凹状部６２２ｂ内に、駆動ワイヤ５を填め込み、その駆動ワイヤ５を第１の把持部６２１の凸状部６２１ｂにより上方から押さえつけるようにして、かかる凹状部６２２ｂと凸状部６２１ｂによって駆動ワイヤ５を挟み込むように把持し、先導部材４と駆動ワイヤ５を連結している。
【００２５】
本実施の形態に係る温室用カーテン開閉装置１は、次のように使用される。すなわち、カーテン部材３を開放状態から閉鎖する場合には、駆動ドラムを一方向に回転させる。これにより、図１に示したように、駆動ワイヤ５が一方向（閉鎖方向）に走行し、クリップ６を介して該駆動ワイヤ５に連結された先導部材４が、隣接する他のカーテン部材３’の後端部３ｂ’が固定された止め材７’に近接する方向へ移動する。この際、カーテン部材３は、先端部３ａが先導部材４に連結されると共に、側部付近が案内部材２に掛けられているため、案内部材２と擦れ合いながら引き伸ばされていく。また、クリップ６は、先導部材４が駆動ワイヤ５の走行に伴って移動するよう、把持部材６２を構成する第１の把持部６２１の凸状部６２１ｂと、スプリング６３により該第１の把持部６２１に近接する方向に付勢されている第２の把持部６２２の凹状部６２２ｂとの間に駆動ワイヤ５を挟み込んで、該駆動ワイヤ５をしっかりと把持している。
【００２６】
先導部材４がさらに移動していき、最終的に、隣接する他のカーテン部材３’の後端部３ｂ’が固定された止め材７’に当接すると、カーテン部材３と他のカーテン部材３’とが接続された状態となり、かかるカーテン部材３，３’によって、温室内上方が閉鎖される。なお、この場合、先導部材４に配設されたブレード９が、他のカーテン部材３’の後端部３ｂ’と重なり合うため、閉鎖性がより高められる。
【００２７】
ところで、前述したように、案内部材２の緩みやカーテン部材３と案内部材２との摩擦抵抗等により、先導部材４が例えば弓形に変形して移動する場合がある。先導部材４がこのように変形した状態で移動していくと、最終的に、隣接する他のカーテン部材３’の後端部３ｂ’が固定された止め材７’には、先行して移動する先導部材４の一部のみが当接し、遅れて移動する他の部位は当接しないため、先導部材４と他のカーテン部材３’との間に隙間ができてしまう。しかしながら、温室用カーテン開閉装置１によれば、このような場合でも、クリップ６が、所定以上の移動を阻止する力を受けた場合には、駆動ワイヤ５に対し、相対的にスライド可能に設けられていることから、かかる隙間をなくして、温室内上方を完全に閉鎖するようカーテン部材３を張設することができる。
【００２８】
より具体的は、図６に示したように、先行して移動する先導部材４の一部が止め材７’に当接すると、当該部位の付近に配設されたクリップ６（６Ａ，６Ｄ）は、軸体６１の一端に形成された係合部６１１が先導部材４の係合溝４ａに係合しているため、先導部材４と共にその移動が停止する。従来の装置では、これ以上あえて動作させると、先導部材４のうち、既に当接している部位によって、隣接する止め材７’を無理矢理押すことになり、止め材７’が変形したり、他のカーテン部材３’が破損したりするおそれがある。これに対し、本実施の形態によれば、先導部材４の一部が止め材７’に当接しても、駆動ワイヤ５をさらに数センチから数十センチメートル駆動させる。これにより、クリップ６Ａ，６Ｄは、各軸体６１の係合部６１１が、止め材７’により移動が阻止されている先導部材４の一部付近に係合しているため、駆動ワイヤ５と共に移動しようとすると所定以上の移動を阻止する力を受けるが、スプリング６３のバネ作用により、第１の把持部６２１の凸状部６２１ｂと、第２の把持部６２２の凹状部６２２ｂとの間に配設された駆動ワイヤ５を弾発的に把持しているため、クリップ６Ａ，６Ｄは、駆動ワイヤ５に対して相対的にスライドし、すなわち、駆動ワイヤ５のみが凸状部６２１ｂと凹状部６２２ｂとの間を擦り抜けるように動作する。一方、遅れて移動する先導部材４の他の部位付近に配設されたクリップ６（６Ｂ，６Ｃ）は、先導部材４の他の部位が、未だ隣接する止め材７’に当接していないため、駆動ワイヤ５と共に移動していく。従って、弓形に変形していた先導部材４は、徐々に直線状になっていき、最終的に、先導部材４の全体が止め材７’に当接し、先導部材４と他のカーテン部材３’との間の隙間がなくなり、温室内上方を完全に閉鎖するようカーテン部材３を張設することができる。
【００２９】
カーテン部材３を閉鎖した状態から開放させる場合には、駆動ドラムを上記と逆方向に回転させる。これにより、先導部材４が上記と逆方向（開放方向）に向かって移動していくと共に、先導部材４の移動に伴ってカーテン部材３が寄せ集められていき、温室内上方が開放される。
【００３０】
なお、本発明の温室用カーテン開閉装置１は、上記した実施の形態に示されたものに何ら限定されるものではない。例えば、上記した実施の形態では、案内部材２を温室の側面に沿って妻面間に掛け渡し、カーテン部材３が温室の一方の妻面側から他方の妻面側へ開閉される構成としているが、案内部材２を温室の妻面に沿って側面間に掛け渡し、カーテン部材３が温室の一方の側面側から他方の側面側へ開閉される構成とすることもできる。また、略中央部が最も高い屋根型の温室において、略中央部を境に各側面に向かって開閉させるカーテン部材に適用することもできることはもちろんである。
【００３１】
【発明の効果】
以上説明したように、本発明によれば、先導部材が閉鎖方向へ移動する際に変形を生じ、隣接する他のカーテン部材との間に隙間が生ずるような場合でも、かかる先導部材に誘導されるカーテン部材が、最終的に、隣接する他のカーテン部材の後端部まで移動して、当該隙間をなくして、確実に閉鎖するようカーテン部材を張設することができる。
【図面の簡単な説明】
【図１】図１は、本発明の温室用カーテン開閉装置の一の実施形態を示す概略構成図である。
【図２】図２は、カーテン部材、先導部材、クリップ及びブレードの配設状態を示す断面図である。
【図３】図３は、図２のＡ−Ａ部断面図である。
【図４】図４は、図２のＢ−Ｂ部断面図である。
【図５】図５は、図２のＣ部拡大断面図である。
【図６】図６は、温室用カーテン開閉装置の作用を説明するための平面図である。
【符号の説明】
１  温室用カーテン開閉装置
２  案内部材
３  カーテン部材
４  先導部材
５  駆動ワイヤ
６  クリップ
６１  軸体
６１１  係合部
６２  把持部材
６２１  第１の把持部
６２１ｂ  凸状部
６２２  第２の把持部
６２２ｂ  凹状部
６３  スプリング
６４ａ，６４ｂ  座金
６５  ナット
６６  ガイド部材
７  止め材
８  棚線
９  ブレード
【図１】
0004180209.tif 000002
【図２】
0004180209.tif 000003
【図３】
0004180209.tif 000004
【図４】
0004180209.tif 000005
【図５】
0004180209.tif 000006
【図６】
0004180209.tif 000007